(57)【特許請求の範囲】
【請求項１】
リング型光伝送ネットワークにおける警報の情報をリアルタイムで検出し、リング型光伝送ネットワークにおいて動作光チャンネルデータ単元ＯＤＵｋの警報のみが発生したことが検出される場合、警報が発生した動作チャンネルに載せられたサービスに対して、１＋１保護プロトコルのスイッチングフローをそれぞれ実行するステップと、
リング型光伝送ネットワークに一つの動作ＯＤＵｋの警報がすでに存在する状況で、また、警報が発生した動作ＯＤＵｋに対応する保護ＯＤＵｋも警報が発生したことが検出される場合、またはリング型光伝送ネットワークに光多重化セグメント層の警報が発生した場合、チャンネル共有保護プロトコルのスイッチングフローをトリガーするステップとを備えるリング型光伝送ネットワークにおいてマルチスパンセクション動作チャンネル故障を処理する方法。
【請求項２】
リング型光伝送ネットワークに保護ＯＤＵｋ警報のみが発生したことが検出される場合、前記の保護ＯＤＵｋ警報をフィルターすることをさらに備える請求項１に記載の方法。
【請求項３】
警報が発生した動作チャンネルに載せられたサービスに対して、１＋１保護プロトコルのスイッチングフローを実行する前記のステップの後、各動作ＯＤＵｋ警報が存在するマルチスパンセクションの上下パスノードが１＋１スイッチング状態にある請求項１に記載の方法。
【請求項４】
チャンネル共有保護プロトコルのスイッチングフローをトリガーした後、光多重化セグメント層の警報または保護ＯＤＵｋ警報が存在するマルチスパンセクションの上下パスノードがＡ方向スイッチング状態またはＢ方向スイッチング状態にあり、保護チャンネルが通過したノードが直通状態にある請求項１に記載の方法。
【請求項５】
動作ＯＤＵｋの警報が消えたことが検出された場合、警報が消えた動作ＯＤＵｋに対応した保護ＯＤＵｋが無故障状態にあるかどうかを判断し、そうであれば、保護チャンネルに載せられたサービスに対して、1+1保護プロトコルの回復フローをそれぞれ実行し、保護チャンネルにおける各ノードをアイドル状態に回復させ、そうでない場合、チャンネル共有保護プロトコルの回復フローをトリガーし、保護チャンネルにおける各ノードがアイドル状態に回復することをさらに備える請求項１に記載の方法。
【請求項６】
光多重化セグメント層の警報が消えたことが検出された時、チャンネル共有保護プロトコルの回復フローをトリガーし、保護チャンネルにおける各ノードがアイドル状態に回復することをさらに備える請求項１に記載の方法。
【請求項７】
保護ＯＤＵｋの警報が消えたことが検出された時、保護グループの状態のみ更新することをさらに備える請求項１に記載の方法。
【請求項８】
リング型光伝送ネットワークにおける警報の情報をリアルタイムで検出し、検出された警報情報をスイッチングトリガーモジュールに送信するように設置された警報検知モジュールと、
警報検知モジュールがリング型光伝送ネットワークに動作ＯＤＵｋ警報のみが発生したことを検出した場合、警報が発生した動作チャンネルに載せられたサービスに対して、１＋１保護プロトコルのスイッチングフローをそれぞれ実行するように、及び
リング型光伝送ネットワークに一つの動作ＯＤＵｋの警報がすでに存在する状況で、もし警報検知モジュールが、また、既に警報が発生した動作ＯＤＵｋに対応する保護ＯＤＵｋも警報が発生することを検出される場合、またはリング型光伝送ネットワークに光多重化セグメント層の警報が発生した場合、チャンネル共有保護プロトコルのスイッチングフローをトリガーするように設置されたスイッチングトリガーモジュールと、を備えるリング型光転送ネットワークにおいてにマルチスパンセクション動作チャンネル故障を処理する装置。
【請求項９】
リング型光伝送ネットワークにおける警報消失情報をリアルタイムで検出し、検出された警報消失情報をスイッチングトリガーモジュールに送信するように設置された警報消失検知モジュールをさらに備える請求項８に記載の装置。
【請求項１０】
前記スイッチングトリガーモジュールはさらに、
警報消失検知モジュールが動作ＯＤＵｋの警報が消えたことを検出した場合、この時警報が消えた動作ＯＤＵｋに対応した保護ＯＤＵｋが無故障状態にあるかどうかを判断し、そうであれば、保護チャンネルに載せられたサービスに対して、１＋１保護プロトコルの回復フローをそれぞれ実行し、そうでない場合、チャンネル共有保護プロトコルの回復フローをトリガーし、及び
警報消失検知モジュールに光多重化セグメント層の警報が消えたことが検出された時、チャンネル共有保護プロトコルの回復フローをトリガーするように設置される請求項９に記載の装置。
【発明の詳細な説明】
【技術分野】
【０００１】
本発明はＯＴＮ（Optical Transport Network、光伝送ネット）の中のリング型ネットワークの保護技術に関し、特にリング型ＯＴＮにマルチスパン（SPAN）セクション動作チャンネル故障を処理する方法及び装置に関する。
【背景技術】
【０００２】
ＯＴＮは、波長分割多重技術に基づいて、光層に構成するネットワークにおける伝送ネットワークであり、次世代の基幹伝送ネットである。ＯＴＮには、伝送した信号の速度がもっと高く、送信した情報量がもっと大きく、そして波長/サブ波長のサービスのスケジューリング機能を提供し、これにより伝統の光ネットワーク保護に対してＯＴＮのネットワーク保護がもっと重要になり、保護能力ももっと強大である。
【０００３】
ＯＴＮの中に、ＯＤＵｋ（Optical Data Unit、光チャンネルデータユニット）層に対し、一般的に、端から端までのサブネットリンク保護を提供する必要がある。現在に、業界では、１＋１保護、１:ｎ保護及びチャンネル共有保護などの保護方法が一般的に採用される。保護方案を選ぶ時、いつも帯域幅の利用率と保護のロバスト性とスイッチング時間に基づいて選択を行う。
【発明の概要】
【発明が解決しようとする課題】
【０００４】
１＋１保護では，毎サブネットリンクに専用のスペアチャンネルを提供することができ、動作チャンネルの中と保護チャンネルの中に同じ信号を伝送する。そのためこのような保護方法のロバスト性は最も強く、スイッチング時間は最も短いである。しかし帯域幅の利用率はただ５０％だけ、ネットワークの警報率がより低いの場合、その帯域幅の浪費が深刻である。
【０００５】
チャンネル共有保護は、リング型ネットワークに使用されている、すべてのサービスが予備リソースを共有する保護方法であり、これによって、その帯域幅の利用率が１＋１保護方式よりはるかに高いである。動作リソースと保護リソースが分離されることにより、そのロバスト性も1:n保護より高いである。しかし、リングにノードが徐々に増加するときに、従ってその安定性が下る。複数のＯＤＵｋ警報が発生した時に、サービスのエラー接続の現象が現れる。この現象が発生しなくても、チャンネル共有の予備リソースは、複数のＯＤＵｋ警報に対し、一つのサービスだけためにスイッチングを行うことができ、同時に多数の故障のサービスを保護することができない。図1は、リング型ネットワークに一つのＯＤＵｋ警報が発生した時、チャンネル共有保護を採用してサービスの保護を行うことを示す模式図。図からわかるように、ＯＣＨ（光通路、Optical Channel）層の警報が検出された場合、両端にサービスを切り替えることをトリガーし、同じ時計回り（反時計回り）サービスが同じ反方向反時計回り（時計回り）のリングチャンネルを共用する。図２は、リング型ネットワークに複数のＯＤＵｋ警報が発生した時にチャンネル共有保護を採用できなくてサービスの保護を行うことを示す模式図である。図からわかるように、特定の方向にある場合 - 例えば、時計回りのリングにＯＤＵｋの警報が２つまたは２つ以上検出されると、チャンネル共有保護は2つ以上のサービスを共有の保護チャンネルに同時に切り替えできない、保護が失効した
【課題を解決するための手段】
【０００６】
本発明は、既存技術でリング型ネットワークに複数のＯＤＵｋ警報が同時に発生した時、チャンネル共有の保護が失効した問題を解決するリング型ＯＴＮにマルチスパンセクション動作チャンネル故障を処理する方法及び装置を提供する。
【０００７】
本発明に係るリング型ＯＴＮにマルチスパンセクション動作チャンネル故障を処理する方法は以下のステップを備え：
リング型光伝送ネットワークの警報の情報をリアルタイムで検出し、リングで動作ＯＤＵｋの警報のみが発生したことが検出される時、警報が発生した動作チャンネルに載せられたサービスに対して、１＋１保護プロトコルのスイッチングフローをそれぞれ実行する、
リング型ネットワークに一つの動作ＯＤＵｋの警報がすでにある状況で、またリング型ネットワークに警報が発生した動作ＯＤＵｋに対応する保護ＯＤＵｋ警報も発生したことが検出される場合、またはリングで光多重化セグメント層の警報が発生した場合、チャンネル共有保護プロトコルのスイッチングフローをトリガーする。  
【０００８】
更に、前記の方法はリング型ネットワークに保護ＯＤＵｋ警報のみが発生したことが検出される時、この警報をフィルターことも備える。
【０００９】
更に、警報が発生した動作チャンネルに載せられたサービスに対して、１＋１保護プロトコルのスイッチングフローを実行するステップの後、各動作ＯＤＵｋの警報が存在するマルチスパンセクションの上下パスノードが１＋１スイッチング状態にある。
【００１０】
更に、チャンネル共有保護プロトコルのスイッチングフローをトリガーするステップの後、光多重化セグメント層の警報または保護ＯＤＵｋ警報が存在するマルチスパンセクションの上下パスノードがＡ向スイッチング状態またはＢ向にあり、保護チャンネルに通過したノードが直通状態にある。
【００１１】
更に、前記の方法は、動作ＯＤＵｋの警報が消えることが検出された場合、其の時対応した保護ＯＤＵｋが無故障状態にあるかどうかを判断し、そうであれば、保護チャンネルに載せられたサービスに対して、1 +1保護プロトコルの回復フローをそれぞれ実行し、保護チャンネルにの各ノードをアイドル状態に回復させ、そうでない場合、チャンネル共有保護プロトコルの回復フローをトリガーし、保護チャンネルにの各ノードをアイドル状態に回復することも備える。
【００１２】
更に、前記の方法は、光多重化セグメント層の警報が消えることが検出された場合、チャンネル共有保護プロトコルの回復フローをトリガーし、保護チャンネルにの各ノードをアイドル状態に回復することも備える。  
【００１３】
更に、前記の方法は、保護ＯＤＵｋの警報が消えることが検出された時、保護グループの状態しか更新しないことも備える。
【００１４】
本発明もリング型ＯＴＮにマルチスパンセクション動作チャンネル故障を処理する装置を提供する。この装置は、
リング型光伝送ネットワークにの警報の情報をリアルタイムで検出し、スイッチングトリガモジュールに送信するように設定された警報検知モジュール、
警報検知モジュールがリング型ネットワークに動作ＯＤＵｋ警報のみが発生したことが検出された場合、警報が発生した動作チャンネルに載せられたサービスに対して、１＋１保護プロトコルのスイッチングフローをそれぞれ実行し、及び
リング型ネットワークに一つの動作ＯＤＵｋの警報がすでにある場合で、もし警報検地モジュールは、またリング型ネットワークに警報が発生した動作ＯＤＵｋに対応する保護ＯＤＵｋ警報も発生したことが検出される場合、またはリング型ネットワークに光多重化セグメント層の警報が発生した場合、チャンネル共有保護プロトコルのスイッチングフローをトリガーするように設定されたスイッチングトリガモジュール、を備える。
【００１５】
更に、前記の装置は、
リング型光伝送ネットワークにの警報消失情報をリアルタイムで検出し、スイッチングトリガモジュールに送信するように設定された警報消失検知モジュールを備える。
【００１６】
更に、前記のスイッチングトリガモジュールは、
警報消失検地モジュールが動作ＯＤＵｋの警報が消えることが検出された場合、この時対応した保護ＯＤＵｋが無故障状態にあるかどうかを判断し、そうであれば、保護チャンネルに載せられたサービスに対して、１＋１保護プロトコルの回復フローをそれぞれ実行し、そうでない場合、チャンネル共有保護プロトコルの回復フローをトリガーし、及び
警報消失検知モジュールは光多重化セグメント層の警報が消えることが検出された場合、チャンネル共有保護プロトコルの回復フローをトリガーするように設定された。
【発明の効果】
【００１７】
本発明の有益な効果は次のどおりであり：
本発明に記載の技術案には、リンクリソースを増加しない条件下で、既存技術に複数のＯＤＵｋ警報が同時に発生した場合、チャンネル共有保護が失効する問題を解決し、複数のＯＤＵｋサービスに1+1保護を同時に行い、保護リソースが失効する条件下で、リンク分離のチャンネル共有保護を提供し、これによりリング型ネットワークトポロジに保護のロバスト性を大幅に強化した。
【図面の簡単な説明】
【００１８】
【図１】リング型ネットワークシングルＯＤＵｋ警報が発生したときにチャンネル共有保護モードを採用してさーびス保護を行うことを示す模式図である。
【図２】リング型ネットワーク複数のＯＤＵｋ警報が発生したときにチャンネル 共有保護モードを採用できなくてさービス保護を行うことを示す模式図である。
【図３】、動作ＯＤＵｋと保護ＯＤＵｋを同じ光チャンネルに設定することを示す模式図である。
【図４】動作ＯＤＵｋと保護ＯＤＵｋを異なる光チャンネルに設定することを示す模式図である。
【図５】本発明におけるリング型ＯＴＮに警報が発生したことを検出された時の処理方法フローチャートである。
【図６】本発明におけるリング型ＯＴＮに警報が消えることが検出された時の処理方法フローチャートである。
【図７】本発明における前記リング型ＯＴＮに警報を処理する装置の構造フレーム図である。
【図８】本発明の実施例におけるサービス１があるマルチスパンセクションの動作チャンネルに故障が発生することを示す模式図である。
【図９】本発明の実施例におけるサービス１とサービス２があるマルチスパンセクションの動作チャンネルに故障が同時に発生することを示す模式図である。
【図１０】本発明の実施例におけるサービス２があるマルチスパンセクションにマルチスパンセクション故障が発生することを示す模式図である。
【発明を実施するための形態】
【００１９】
以下、図面を参照して本発明の実施の形態を詳しく説明する。
【００２０】
ＯＴＮネットワークにおいて、ＯＤＵｋの強力なクロス能力に基づいてＯＤＵｋ信号を任意方向の任意波長チャネルに交差することができる。図３に示すように、動作ＯＤＵｋと保護ＯＤＵｋが同一の光チャンネルに共通するように配置されてもよいし、図４に示すように、動作ＯＤＵｋと保護ＯＤＵｋが分離されて異なる光チャンネルに配置されてもよい。本発明はＯＤＵｋの任意方向の任意波長のクロス能力を利用し、リング型ネットワークのチャンネル共有保護における４種類のノード状態――アイドル状態、Ａ向スイッチング状態、Ｂ向スイッチング状態、直通状態を基にして、第５種のノード状態――１＋１スイッチング状態を広める。チャンネル共有保護プロトコルに基づいてリング上におけるサービスと反方向の保護チャンネルリソースを利用することを基にして、１＋１保護プロトコルのリング上におけるサービスと同じ方向の保護チャンネルリソースの利用を増加した。
【００２１】
本発明のコア思想は、動作ＯＤＵｋ警報をしか検出されない場合、サービスと同向ホモクリニックの１＋１保護をトリガーし、反方向の共有保護リソースに切り替えない。このように、ある方向のリング上のマルチスパン警報はその１＋１保護にぞれぞれ対応でき、これによって保護リソースの衝突をもたらすことができない。保護ＯＤＵｋに警報も検出され、またはＯＭＳ層の警報も検出された場合、この時、 １＋１保護がすでに失効したため、チャンネル共有保護をトリガーし、反方向リングの共有保護リソースを占用する必要がある。
【００２２】
図５を参照し、当該図は、本発明におけるリング型ＯＴＮに警報が発生したことが検出された場合の処理方法のフローチャートであり、主に以下のようなステップを含む。
【００２３】
ステップＳ３０１、リング型光伝送ネットにおける警報情報をリアルタイムで検出する、
ステップＳ３０２、検出された警報情報のタイプを判断し、リング型ネットワークに一つまたはマルチスパン動作ＯＤＵｋ警報のみが発生したことが検出された場合、ステップＳ３０３を実行し、リング型ネットワークに一つまたはマルチスパン保護ＯＤＵｋ警報のみが発生したことが検出された場合、ステップＳ３０４を実行し、リング型ネットワークに一つのＯＭＳ警報のみが発生したことが検出された場合、ステップＳ３０５を実行する。
【００２４】
ステップＳ３０３、警報が発生した動作チャンネルに載せられたサービスに対して、１＋１保護プロトコルのスイッチングフローをそれぞれ実行し、各動作ＯＤＵｋの警報が存在するマルチスパンセクションの上下パスノードが1 +1スイッチング状態にあり、ステップＳ３０６に進む。
【００２５】
ステップＳ３０４、この警報をフィルターし、ステップＳ３０８に進む。
【００２６】
ステップＳ３０５、チャンネル共有保護プロトコルのスイッチングフローをトリガーし、ＯＭＳが存在するマルチスパンセクションの上下パスノードがA向スイッチング状態またはＢ向スイッチング状態にあり、保護チャンネルが通過したノードが直通状態にあると、ステップＳ３０８に進む。
【００２７】
ステップＳ３０６、リング型ネットワークに一つの動作ＯＤＵｋの警報がすでにある場合で、またリング型ネットワークに一つのＯＭＳ警報が発生し、またはリング型ネットワークに警報が発生した動作ＯＤＵｋに対応する保護ＯＤＵｋ警報も発生したことが検出される場合、次のステップを実行する。
【００２８】
ステップＳ３０７、チャンネル共有保護プロトコルのスイッチングフローをトリガーし、ＯＭＳ警報または保護ＯＤＵｋ警報が存在するマルチスパンセクションの上下パスノードがＡ向スイッチング状態またはＢ向スイッチング状態にあり、保護チャンネルが通過したノードが直通状態にあり、ステップＳ３０８に進む。
【００２９】
ステップＳ３０８、フローが終了する。
【００３０】
図6を参照し、図6は本発明におけるリング型OTNに警報が消えることが検出された時の処理方法フローチャートである。主に以下のようなステップを備え：
ステップＳ４０１、リング型光伝送ネットワークに警報消失情報をリアルタイムで検出する。  
【００３１】
ステップＳ４０２、検出された警報消失情報のタイプを判断し、動作ＯＤＵｋ警報消失情報が検出された場合、ステップＳ４０３に進み、保護ＯＤＵｋ警報消失情報が検出された場合、ステップＳ４０７に進む。
【００３２】
ステップＳ４０３、この時対応した保護ＯＤＵｋが無故障状態にあるかどうかを判断し、そうであれば、ステップＳ４０４に進み、そうではない場合、ステップＳ４０５に進む。
【００３３】
ステップＳ４０４、保護チャンネルに載せられたサービスに対して、１＋１保護プロトコルの回復フロー（Revertフロー、保護を解放し、動作リソースのフローに回復する）をそれぞれ実行し、保護チャンネルにおける各ノードをアイドル状態に回復し、ステップＳ４０８に進む。
【００３４】
ステップＳ４０５、チャンネル共有保護プロトコルの回復フローをトリガーし、保護チャンネルでの各ノードをアイドル状態に回復し、ステップＳ４０８に進む。
【００３５】
ステップＳ４０６、保護グループの状態をしか更新しない、ステップＳ４０８に進む。
【００３６】
ステップＳ４０７、チャンネル共有保護プロトコルの回復フローをトリガーし、保護チャンネルにおける各ノードをアイドル状態に回復し、ステップＳ４０８に進む。
【００３７】
ステップＳ４０８、フローが終了する。
【００３８】
本発明の上記方法に対応し、さらに、リング型ＯＴＮにおける警報の処理装置を提供し、図７を参照し、図７は本発明における前記リング型ＯＴＮに警報を処理する装置の構造フレーム図であり、それは主に警報検知モジュール、警報消失検知モジュール、スイッチングトリガモジュールを備え、其の中、
リング型光伝送ネットワークにおける警報の情報をリアルタイムで検出し、スイッチングトリガモジュールに送信するように用いられた警報検知モジュール。
リング型光伝送ネットワークにおける警報情報をリアルタイムで検出し、スイッチングトリガモジュールに送信するように用いられた警報消失検知モジュール。
【００３９】
警報検知モジュールはリング型ネットワークに動作ＯＤＵｋ警報のみが発生したことは検出された場合、警報が発生した動作チャンネルに載せられたサービスに対して、１＋１保護プロトコルのスイッチングフローをそれぞれ実行するように用いられる。及び、リング型ネットワークに一つの動作ＯＤＵｋの警報がすでにある場合で、警報検知モジュールは、またリング型ネットワークでＯＭＳ警報が発生し、または警報が発生した動作ＯＤＵｋに対応する保護ＯＤＵｋ警報も発生したことが検出される場合、チャンネル共有保護プロトコルのスイッチングフローをトリガーするように用いられる、
警報消失検知モジュールは、動作ＯＤＵｋの警報が消えることは検出された場合、其の時対応した保護ＯＤＵｋが無故障状態にあるかどうかを判断し、そうであれば、保護チャンネルに載せられたサービスに対して、1+1保護プロトコルの回復フローをそれぞれ実行し、そうでない場合、チャンネル共有保護プロトコルの回復フローをトリガーするように用いられる。また、警報消失検知モジュールは、ＯＭＳ警報が消えることは検出された場合、チャンネル共有保護プロトコルの回復フローをトリガーすることように用いられるスイッチングトリガモジュール。
【００４０】
本発明に記載の方法及び装置では、リンクリソースを増加しない条件下で、複数のＯＤＵｋサービスに対して１+１保護を同時に行い、且つ保護リソースが失効する条件下で、リンク分離のチャンネル共有保護を提供し、これによりリング型ネットワークトポロジに保護のロバスト性を大幅に強化した。
【００４１】
以下、具体的な実施形態によって、本発明をさらに詳述する。
【００４２】
図８−１０を参照し、リング型ネットワークトポロジがノードＡ−Ｆから構成され、ノードＢとノードＣの間にある1ペアのサービスがサービス１とし、ノードＣとノードＤの間にある一つのサービスがサービス２とする。本発明に記載の警報処理方法を採用し、サービス１が存在するマルチスパンセクションの動作チャンネルに故障は発生した場合、図８に示すように、以下のような操作を行う。
【００４３】
ステップＳ６０１、ノードＣに警報が検出された後、警報の分析フローに進み、動作チャンネルに故障のみが発生したことを判断するため、１＋１保護メカニズムを行い、保護プロトコルを相対端ノードＢに送信し、本ノードが１+１スイッチングを実行する。
【００４４】
ステップＳ６０２、ノードＢは、ノードＣの保護プロトコールを受信して、１+１スイッチング状態をトリガーし、応答プロトコルをノードＣに送信する。
【００４５】
ステップＳ６０３、ノードＣは応答プロトコルを受信し、システムが安定な状態にある。
【００４６】
システムが安定した後、サービス２が存在するマルチスパンセクションの動作チャンネルに故障は発生した場合、図9に示すように、以下の操作を行い、
ステップＳ６０４、ノードＤが警報を検出された後、警報の分析フローに進み、動作チャンネル故障のみが発生したことを判断するため、１+１保護メカニズムを行い、保護プロトコルを相対端ノードＣに送信し、本ノードが１+１スイッチングを実行する。
【００４７】
ステップＳ６０５、ノードＣはノードＤの保護プロトコルを受信して、１+１巣イッチング状態をトリガーし、ノードＣに応答プロトコルを送信する。
【００４８】
ステップＳ６０６、ノードＤは応答プロトコルを受信し、システムが安定な状態にある。
【００４９】
サービス１が存在するマルチスパンセクションの故障は消失した後、ノードＢがアイドル状態に回復し、その時サービス２が存在するマルチスパンセクションにマルチスパンセクション故障が発生し、ＯＭＳ警報が発生する報告して、図１０に示すように、以下の操作を行い：
ステッぷＳ６０７、ノードＤがＯＭＳ系報を検出された後、警報の分析フローに進み、チャンネル共有保護メカニズムをトリガーし、保護プロトコルをトポロジ内の他のノードに送信する。
【００５０】
ステップＳ６０８、システム内のチャンネル共有プロトコルが安定した後、ノードＣがＢ向けスイッチング状態にあり、ノードＤがＡ向けすイッチング状態にあり、ノー度Ａ、ノードＢ、ノードＥ、ノードＦがそれぞれ直通状態にある。
【００５１】
以上の実施例により、本発明は、チャンネル共有保護で、二つ以上の動作チャンネルに故障が同時にある時に保護が失効する問題が有効的に処理でき、ネットワークリソースを増加しない条件下で、ネットワークの生存性を向上させる。
【００５２】
明らかに、本領域の技術者は、本発明に対して、其の精神と範囲を離れないで、各種な変更と変形を行うことができる。このような、もし本発明のこれらの変更と変形が本発明の請求項及び同じ技術の範囲内に属し、本発明はこれらの変更と変形を意図的に含む。
【産業上の利用可能性】
【００５３】
既存の技術に比べ、本発明に記載の技術案では、リンクリソースを増加しない条件下で、既存技術に複数のＯＤＵｋ系報が同時に発生した場合、チャンネル共有保護が失効する問題を解決し、複数のＯＤＵｋさービスに１+１保護を同時に行うことができ、且つ保護リソースが失効する条件下で、リンク分離のチャンネル共有保護を提供し、これによりリング型ネットワークトポロジに保護のロバスト性を大幅に強化した。
【図１】
0005317378.tif 000002
【図２】
0005317378.tif 000003
【図３】
0005317378.tif 000004
【図４】
0005317378.tif 000005
【図５】
0005317378.tif 000006
【図６】
0005317378.tif 000007
【図７】
0005317378.tif 000008
【図８】
0005317378.tif 000009
【図９】
0005317378.tif 000010
【図１０】
0005317378.tif 000011